(57)【要約】【課題】フード部内における雄端子保護プレートの傾きを防止する。【解決手段】雌ハウジング５０とともに雄端子保護プレート３０をフード部１２から離脱させる方向へ移動させると、一対の係止突部５３が一対の嵌合溝１８の上端縁に係止したところで、雄端子保護プレート３０のそれ以上の離脱方向への移動を規制される。一対の係止突部３７と一対の嵌合溝１８は、雄端子保護プレート３０の移動方向と直角な方向において、雄端子保護プレート３０の傾きの支点となり得るカムピン５３の両側に配置されているので、雄端子保護プレート３０の傾きが規制される。【選択図】図１
2008130244.tif 000002
【特許請求の範囲】
【請求項１】
雄ハウジングのフード部内に、雄端子金具のタブを位置決めする板状部の周縁に周壁を有する雄端子保護プレートが、前記フード部に対する雌ハウジングの嵌合・離脱方向と平行に移動可能に収容され、
前記雄ハウジングには、カム溝を有するレバーが回動可能に取り付けられ、
前記雄端子保護プレートには、前記雌ハウジングのカムフォロアと合体して前記カム溝に係合されるカムピンが形成され、
前記レバーの操作により、前記雌ハウジングが、前記雄端子保護プレートと一体となって前記フード部に対して嵌合・離脱されるようになっているコネクタにおいて、
前記フード部の内周には、前記雄端子保護プレートの移動方向に延びる一対の嵌合溝が、前記雄端子保護プレートの移動方向と直角な方向において前記カムピンの両側に位置するように形成され、
前記周壁には、その外周面側へ突出して前記嵌合溝に嵌合可能な一対の係止突部が形成され、
前記一対の嵌合溝の前端縁には、前記一対の係止突部を係止させることで、前記雄端子保護プレートの前記フード部からの離脱を規制するストッパが形成されていることを特徴とするコネクタ。
【請求項２】
前記係止突部が、前記周壁に対して相対的に内側へ変位可能な弾性係止片に形成されていることを特徴とする請求項１に記載のコネクタ。
【請求項３】
前記弾性係止片が、前記雌ハウジングの前記フード部からの離脱方向と同じ方向へ片持ち状に延出するとともに、前記弾性係止片の延出端が、前記周壁の前端縁に開放された形態となっていることを特徴とする請求項２に記載のコネクタ。
【請求項４】
前記周壁と前記フード部には、前記フード部内における前記雄端子保護プレートの移動方向と平行な一対のガイド部が、前記雄端子保護プレートの移動方向と直角な方向において前記カムピンの両側に位置するように形成され、
前記一対のガイド部が、前記周壁と前記フード部における前記係止突部の形成されている壁面とは反対側の壁面に配されていることを特徴とする請求項１ないし請求項３のいずれかに記載のコネクタ。
【発明の詳細な説明】
【技術分野】
【０００１】
本発明は、雄端子保護プレートを備えたコネクタに関するものである。
【背景技術】
【０００２】
特許文献１には、雄端子保護プレートを備えたコネクタが開示されている。このコネクタは、雄ハウジングのフード部内に周壁を有する雄端子保護プレートを収容し、この雄端子保護プレートによって雄端子金具のタブを位置決めするようにしたものであって、雄ハウジングに設けたレバーの回動操作により、フード部内に雌ハウジングを引き込みつつ雌雄両ハウジングを嵌合させるようになっている。雄端子保護プレートの周壁には、雌ハウジングのカムフォロアと合体してレバーのカム溝に係合されるカムピンが形成されており、レバーの操作により雌ハウジングと雄端子保護プレートとが一体となって移動するようになっている。
【特許文献１】特開２００６−１９６２２５公報
【発明の開示】
【発明が解決しようとする課題】
【０００３】
この種のコネクタでは、雄端子保護プレートをフード部内に組み付ける際の作業性向上を図る目的で、フード部の内周面と雄端子保護プレートの周壁の外周面との間にクリアランスが確保されるような寸法設定となっており、これにより、雄端子保護プレートは、カムピンを支点としてフード部内でシーソー状に傾き得るようになっている。  
そのため、雌ハウジングを雄ハウジングから離脱させるときに、雌ハウジングと一緒に雄端子保護プレートが傾き、この傾きが原因となって、雌ハウジングがフード部と干渉して離脱作業に支障を来すことが懸念される。  
本発明は上記のような事情に基づいて完成されたものであって、フード部内における雄端子保護プレートの傾きを防止することを目的とする。
【課題を解決するための手段】
【０００４】
上記の目的を達成するための手段として、請求項１の発明は、雄ハウジングのフード部内に、雄端子金具のタブを位置決めする板状部の周縁に周壁を有する雄端子保護プレートが、前記フード部に対する雌ハウジングの嵌合・離脱方向と平行に移動可能に収容され、前記雄ハウジングには、カム溝を有するレバーが回動可能に取り付けられ、前記雄端子保護プレートには、前記雌ハウジングのカムフォロアと合体して前記カム溝に係合されるカムピンが形成され、前記レバーの操作により、前記雌ハウジングが、前記雄端子保護プレートと一体となって前記フード部に対して嵌合・離脱されるようになっているコネクタにおいて、前記フード部の内周には、前記雄端子保護プレートの移動方向に延びる一対の嵌合溝が、前記雄端子保護プレートの移動方向と直角な方向において前記カムピンの両側に位置するように形成され、前記周壁には、その外周面側へ突出して前記嵌合溝に嵌合可能な一対の係止突部が形成され、前記一対の嵌合溝の前端縁には、前記一対の係止突部を係止させることで、前記雄端子保護プレートの前記フード部からの離脱を規制するストッパが形成されているところに特徴を有する。
【０００５】
請求項２の発明は、請求項１に記載のものにおいて、前記係止突部が、前記周壁に対して相対的に内側へ変位可能な弾性係止片に形成されているところに特徴を有する。
【０００６】
請求項３の発明は、請求項２に記載のものにおいて、前記弾性係止片が、前記雌ハウジングの前記フード部からの離脱方向と同じ方向へ片持ち状に延出するとともに、前記弾性係止片の延出端が、前記周壁の前端縁に開放された形態となっているところに特徴を有する。
【０００７】
請求項４の発明は、請求項１ないし請求項３のいずれかに記載のものにおいて、前記周壁と前記フード部には、前記フード部内における前記雄端子保護プレートの移動方向と平行な一対のガイド部が、前記雄端子保護プレートの移動方向と直角な方向において前記カムピンの両側に位置するように形成され、前記一対のガイド部が、前記周壁と前記フード部における前記係止突部の形成されている壁面とは反対側の壁面に配されているところに特徴を有する。
【発明の効果】
【０００８】
＜請求項１の発明＞
雌ハウジングとともに雄端子保護プレートをフード部から離脱させる方向へ移動させると、一対の係止突部が一対の嵌合溝の前端縁に係止したところで、雄端子保護プレートのそれ以上の離脱方向への移動を規制される。このとき、一対の係止突部と一対の嵌合溝は、雄端子保護プレートの移動方向と直角な方向において、雄端子保護プレートの傾きの支点となり得るカムピンの両側に配置されているので、雄端子保護プレートの傾きが規制される。これにより、雄端子保護プレートの傾きに起因して雌ハウジングがフード部と干渉することが防止され、雌ハウジングを支障なくフード部から離脱させることができる。  
また、雄端子保護プレートがフード部内を移動する過程では、一対の係止突部と一対の嵌合溝との嵌合により、雄端子保護プレートの傾きが規制されてコジリが生じることがなく、雄端子保護プレートと雌ハウジングの嵌合・離脱方向の移動が円滑に行われる。
【０００９】
＜請求項２の発明＞
係止突部が、周壁に対して相対的に内側へ相対変位可能な弾性係止片に形成されているので、雄端子保護プレートをフード部に組み付けるときには、弾性係止片を内側へ弾性撓みさせることにより、係止突部がストッパを通過して嵌合溝に嵌合することができる。したがって、組む付け作業性が良好となる。
【００１０】
＜請求項３の発明＞
弾性係止片の延出方向を、雌ハウジングのフード部からの離脱方向と同じ方向、すなわち周壁の前端縁に向かう方向とした上で、さらに、弾性係止片の延出端を、周壁の前端縁に開放する形態としている。これにより、弾性係止片を形成するための金型の型開き方向を、周壁の後端から前端に向かう方向、すなわち周壁を形成するための金型の型開き方向と同じ向きにすることができる。したがって、周壁の壁面と直角な方向に型開きする金型をなくすことが可能となり、金型コストを低減することができる。
また、弾性接触片の支点部が周壁の前端縁には無いから、周壁の前端縁に、弾性接触片の撓み動作に伴う強い応力が作用することがなく、弾性接触片の撓み動作に起因して周壁の前端縁が塑性変形する事態を回避することができる。
【００１１】
＜請求項４の発明＞
雄端子保護プレートが移動する過程では、ガイド部によって雄端子保護プレートの姿勢が安定するので、円滑な移動が担保される。また、ガイド部は、カムピンから離れているほどガイド機能が高く、係止突部も、カムピンから離れているほど姿勢安定機能が高いのであるが、本発明では、一対の係止突部と一対のガイド部を、互いに反対側の壁面に形成しているので、係止突部とガイド部の双方を、カムピンから離間した配置として、ガイド機能と姿勢安定機能の両方の信頼性を高めることが可能である。
【発明を実施するための最良の形態】
【００１２】
＜実施形態１＞
以下、本発明を具体化した実施形態１を図１ないし図９を参照して説明する。本実施形態のコネクタは、雄ハウジング１０と雌ハウジング５０をレバー４０の回動操作によって嵌合・離脱するようにしたものである。なお、以下の説明において、雄ハウジング１０に関する方向については、雄ハウジング１０の前面が上を向く姿勢を基準とする。つまり、特許請求の範囲に記載されている前と、本実施形態における上は同義である。
【００１３】
雄ハウジング１０は、合成樹脂製からなり、左右方向に細長いブロック状の端子保持部１１と、端子保持部１１の周縁から上方へ突出する角筒状のフード部１２とからなる。端子保持部１１内には、複数の雄端子金具１３の端子本体１４が前後左右に整列して収容され、端子本体１４の下端に固着した電線１５は、端子保持部１１の下端面から外部へ導出されている。また、フード部１２内には、端子本体１４から上方へ突出する細長いタブ１３ａが前後左右に整列して収容されている。フード部１２を構成する前面板１２Ｆと後面板１２Ｒの外面には、軸線を前後方向に向けた一対の支持軸１６が突出形成されているとともに、フード部１２の上端縁から支持軸１６に向かって下方へ直線状に切欠した形態の逃がし溝１７が形成されている。この支持軸１６と逃がし溝１７は、左右方向においてフード部１２のほぼ中央に配置されている。
【００１４】
フード部１２の前面板１２Ｆには、左右一対の嵌合溝１８が形成されている。一対の嵌合溝１８は、左右方向（後述する雄端子保護プレート３０の嵌合・離脱時の移動方向と直角な方向）において雄端子保護プレート３０のカムピン３４を挟んで左右両側に位置するように、且つカムピン３４よりもフード部１２の左右両外側縁に近い位置に配置されている。嵌合溝１８は、上下方向（雄端子保護プレート３０の移動方向）に一定幅で直線状に延びており、前面板１２Ｆの内面から外面に貫通されている。そして、嵌合溝１８の上端縁は、フード部１２（前面板１２Ｆ）の上端縁に接近した位置にあって、ストッパ１９として機能する。
【００１５】
フード部１２の後面板１２Ｒには、左右一対のガイド溝２０（本発明の構成要件であるガイド部）が形成されている。一対のガイド溝２０は、左右方向（雄端子保護プレート３０の移動方向と直角な方向）において雄端子保護プレート３０のカムピン３４を挟んで左右両側に位置するように、且つカムピン３４よりもフード部１２の左右両外側縁に近い位置に配置されている。つまり、一対のガイド溝２０と一対の嵌合溝１８は、前後方向（雄端子保護プレート３０の移動方向と直角な方向）に対応するように配置されている。ガイド溝２０は、後面板１２Ｒの内面を凹ませた形態であって、嵌合溝１８と同じく上下方向（雄端子保護プレート３０の移動方向）に一定幅で直線状に延びており、ガイド溝２０の上端はフード部１２（後面板１２Ｒ）の上端縁に開放されている。かかる一対のガイド溝２０は、フード部１２における嵌合溝１８の形成されている前面板１２Ｆとは反対側の壁面である後面板１２Ｒに配されている。
【００１６】
フード部１２内には、複数のタブ１３ａを上下幅方向において位置決めするための雄端子保護プレート３０が、上下方向（両ハウジング１０，５０の嵌合・離脱方向と平行な方向）への移動を可能に収容されている。雄端子保護プレート３０は、合成樹脂製であって、その移動方向と直角な板状をなす略方形の板状部３１と、板状部３１の周縁から上方へ突出する略角筒状の周壁３２とからなる。かかる雄端子保護プレート３０は、その周壁３２の外周面をフード部１２の内周面に対して僅かなクリアランスを空けた状態で上下移動する。また、板状部３１には、複数のタブ１３ａを貫通させるための位置決め孔３３が整列して貫通形成されており、雄端子保護プレート３０がその移動経路中のいずれの位置にあっても、タブ１３ａが位置決め孔３３に貫通した状態に保たれ、これにより、タブ１３ａが前後左右方向において位置決めされるようになっている。
【００１７】
周壁３２を構成する前面壁３２Ｆと後面壁３２Ｒには、夫々、前方と後方に突出する一対のカムピン３４が形成されており、雄端子保護プレート３０が移動する際には、カムピン３４が逃がし溝１７に嵌合した状態で移動するようになっている。カムピン３４には、後述する雌ハウジング５０のカムフォロア５３を嵌入させるための凹部３５が、上方に開口する形態で形成されている。
【００１８】
前面壁３２Ｆにおけるカムピン３４よりも右方の位置とカムピン３４よりも左方の位置には、夫々、前面壁３２Ｆの上端から下方へ直線状に延びる左右一対のスリットが形成され、この対をなすスリットの間の板状の部分が弾性係止片３６となっている。つまり、この左右一対の弾性係止片３６は、雄端子保護プレート３０の移動方向と直角な左右方向においてカムピン３４を挟むように位置し、フード部１２の一対の嵌合溝１８と対応するように配置されている。かかる弾性係止片３６は、上方（後述するようにフード部１２から雌ハウジング５０が離脱する方向）に向かって片持ち状に延出する形態である。弾性係止片３６の上端（延出端）は、前面壁３２Ｆの上端縁に臨んでおり、換言すると周壁３２の上端縁に開放されている。弾性係止片３６の上端部外面には係止突部３７が形成されている。係止突部３７は、弾性係止片３６の全幅に亘って形成され、この幅寸法は嵌合溝１８と同じかそれよりも僅かに小さい寸法とされている。かかる弾性係止片３６は、その下端（基端）を支点として内側へ変位しつつ弾性撓みするようになっている。
【００１９】
周壁３２の後面壁３２Ｒには、左右一対のガイドリブ３８（本発明の構成要件であるガイド部）が形成されている。ガイドリブ３８は、後面壁３２Ｒを後方（外方）へ突出させた形態であって、上下方向に直線状に延びている。一対のガイドリブ３８は、カムピン３４を挟んで左右両側に位置し、フード部１２の一対のガイド溝２０と対応するように配置されている。換言すると、一対のガイドリブ３８は、周壁３２における係止突部３７（弾性係止片３６）の形成されている前面壁３２Ｆとは反対側の壁面である後面壁３２Ｒに配されていることになる。
【００２０】
かかる雄端子保護プレート３０は、上方からフード部１２内に挿入されるが、このとき、左右一対の弾性係止片３６が内側へ弾性撓みすることにより、各係止突部３７が、ストッパ１９を通過し、嵌合溝１８に対し上下方向（雄端子保護プレート３０の移動方向と平行な方向）への移動を許容され、且つ左右方向への移動を規制された状態で嵌合される。また、カムピン３４は逃がし溝１７内に進入する。さらに、左右一対のガイドリブ３８が、フード部１２のガイド溝２０に対し、上下方向への移動を許容され、且つ左右方向への移動及び傾きを規制された状態で嵌合される。
【００２１】
レバー４０は、合成樹脂製であって、前後一対の板状をなすアーム部４１と、両アーム部４１を連結する操作部４４とを一体成形したものであり、アーム部４１には、軸受孔４２が形成されている。かかるレバー４０は、その軸受孔４２を支持軸１６に嵌合させることにより、前後方向の軸線（支持軸１６及び軸受孔４２）を中心として初期位置と嵌合位置との間で回動するようになっている。また、アーム部４１の内面には、軸受孔４２を略中心とする弧状のカム溝４３が形成され、カム溝４３の入口４３ａは、外向きに屈曲してアーム部４１の周縁部に開口されている。
【００２２】
レバー４０が初期位置にある状態では、図１に示すように、カム溝４３の入口４３ａが逃がし溝１７の上端部（開口端部）と対応するように位置し、そのカム溝４３の入口４３ａにカムピン３４が進入するとともに、カムピン３４の凹部３５が、カム溝４３の入口４３ａと同じく上方へ開口する状態となる。このとき、カムピン３４はカム溝４３の入口４３ａの奥端面に当接しているので、カムピン３４の下方への移動、すなわち雄端子保護プレート３０がフード部１２の奥側へ移動することが規制されている。また、左右一対の係止突部３７が、夫々、対応するストッパ１９に対して下方から当接しているので、雄端子保護プレート３０の上方への移動も規制されている。つまり、雄端子保護プレート３０は、レバー４０によって上下移動を規制された状態に保持されている。
【００２３】
雌ハウジング５０は、合成樹脂製であって、全体として幅方向に長いブロック状をなす。雌ハウジング５０内には複数の雌端子金具５１が前後左右方向に整列して収容されて、各雌端子金具５１は夫々対応する雄端子金具１３のタブ１３ａと接続されるようになっている。各雌端子金具５１の上端に接続した電線５２は、雌ハウジング５０の上端面から外部へ導出され、電線カバー５４により側方へ転向させられている。雌ハウジング５０の前後両外面には、前後一対のカムフォロア５３が突出形成されている。カムフォロア５３は、両ハウジング１０，５０の嵌合方向と直角な幅方向においてほぼ中央に配置され、カムピン３４の凹部３５に嵌合されるようになっている。
【００２４】
雄ハウジング１０と雌ハウジング５０を嵌合する際には、レバー４０を初期位置に保持した状態で、雌ハウジング５０を雄端子保護プレート３０内に上から嵌入させ、雌ハウジング５０の下端側部分を周壁３２で包囲する。すると、カムフォロア５３が、カム溝４３の入口４３ａに進入してカムピン３４の凹部３５に嵌入され、カムピン３４が、カムフォロア５３と合体した状態でカム溝４３と係合可能となる。次に、この状態からレバー４０を嵌合位置側へ回動させると、カムピン３４とカム溝４３との係合によるカム作用により、雌ハウジング５０がフード部１２内に引き込まれるように移動し、両ハウジング１０，５０が接近していく。このとき、雄端子保護プレート３０は、雌ハウジング５０と一体となってフード部１２の奥側（下方）へ移動し、移動する間、各タブ１３ａは、位置決め孔３３を貫通したままであって正しい位置に保持される。また、ガイド溝２０とガイドリブ３８との嵌合により、雄端子保護プレート３０はフード部１２に対して左右に傾くことなく平行移動する。そして、レバー４０が嵌合位置に達すると、図３に示すように、両ハウジング１０，５０が正規嵌合状態となり、タブ１３ａが雌ハウジング５０内に進入して両端子金具が導通可能に接続される。
【００２５】
両ハウジング１０，５０を離脱する際には、嵌合位置にあるレバー４０を初期位置側へ回動させる。この回動に伴い、カムピン３４とカム溝４３の係合によって、雄端子保護プレート３０と雌ハウジング５０が一体となってフード部１２に対して上方へ押し出されるように移動する。このとき、ガイド溝２０とガイドリブ３８との嵌合により、雄端子保護プレート３０はフード部１２に対して左右に傾くことなく平行移動する。そして、レバー４０が初期位置に達すると、図１に示すように、カムピン３４がカム溝４３の入口４３ａに移動し、凹部３５内のカムフォロア５３が上方へ離脱可能となる。この後は、カムフォロア５３を凹部３５から離脱させつつ、雌ハウジング５０を雄端子保護プレート３０から引き離せば、両ハウジング１０，５０が離脱状態となる。
【００２６】
ここで、レバー４０が初期位置にある状態では、左右一対の係止突部３７が、夫々、対応するストッパ１９に対して下方から係止し、この左右２つの係止作用により、雄端子保護プレート３０はそれ以上の上方への移動（フード部１２から離脱する方向の移動）を規制されている。したがって、雄端子保護プレート３０が雌ハウジング５０と一緒にフード部１２から離脱することはない。  
また、係止突部３７と嵌合溝１８とストッパ１９が設けられていないコネクタでは、図９に示すように、雄端子保護プレート３０は、カムピン３４を支点としてフード部１２内で左右にシーソー状に姿勢を傾け得るのであるが、本実施形態では、係止突部３７とストッパ１９との係止を、カムピン３４を挟んで左右両側に離間した２つの位置（すなわち、雄端子保護プレート３０の移動方向と直角な方向においてカムピン３４を挟む２位置）で行っているので、雌ハウジング５０を雄端子保護プレート３０から引き離すときに、雌ハウジング５０の姿勢がフード部１２に対して左右に傾いても、雄端子保護プレート３０がフード部１２に対して左右に傾くことはない。これにより、雄端子保護プレート３０の傾きが原因となって雌ハウジング５０がフード部１２と干渉することが防止され、雌ハウジング５０を、フード部１２に対する引っ掛かりを生じさせることなく、円滑に雄ハウジング１０から離脱させることができる。
【００２７】
また、雄端子保護プレート３０がフード部１２内を移動する過程では、一対の係止突部３７と一対の嵌合溝１８との嵌合により、雄端子保護プレート３０の左右方向（雄端子保護プレート３０の移動方向と直角な方向）への変位が規制されるので、雄端子保護プレート３０とフード部１２との間でコジリが生じることがなく、雄端子保護プレート３０と雌ハウジング５０の嵌合・離脱方向の移動が円滑に行われる。つまり、一対の係止突部３７は、雄端子保護プレート３０のシーソー状の傾きを規制する機能と、移動中におけるフード部１２とのコジリを回避する機能とを兼ね備えている。
【００２８】
また、係止突部３７が、周壁３２に対して相対的に内側へ相対変位可能な弾性係止片３６に形成されているので、雄端子保護プレート３０をフード部１２に組み付けるときには、弾性係止片３６を内側へ弾性撓みさせることにより、係止突部３７がストッパ１９を通過して嵌合溝１８に嵌合することができる。
【００２９】
また、弾性係止片３６の延出方向を、雌ハウジング５０のフード部１２からの離脱方向と同じ方向、すなわち周壁３２の上端縁に向かう方向とした上で、さらに、弾性係止片３６の延出端を、周壁３２の上端縁に開放する形態としている。これにより、弾性係止片３６を形成するための金型の型開き方向を、周壁３２の下端から上端に向かう方向、すなわち周壁３２を形成するための金型の型開き方向と同じ向きにすることができる。したがって、周壁３２の壁面と直角な方向に型開きする金型をなくすことが可能となり、金型コストを低減することができる。
【００３０】
また、雄端子保護プレート３０が移動する過程では、ガイドリブ３８とガイド溝２０の係合によって雄端子保護プレート３０の姿勢が安定するので、円滑な移動が担保される。さらに、ガイドリブ３８とガイド溝２０は、カムピン３４から離れているほどガイド機能が高く、係止突部３７も、カムピン３４から離れているほど姿勢安定機能が高いのであるが、本実施形態では、一対の係止突部３７と一対のガイド部（ガイドリブ３８及びガイド溝２０）を、互いに反対側の壁面に形成しているので、係止突部３７とガイド部（ガイドリブ３８及びガイド溝２０）の双方を、カムピン３４から離間した配置として、ガイド機能と姿勢安定機能の両方の信頼性を高めることが実現されている。
【００３１】
＜他の実施形態＞
本発明は上記記述及び図面によって説明した実施形態に限定されるものではなく、例えば次のような実施態様も本発明の技術的範囲に含まれる。  
（１）本発明によれば、嵌合溝は、フード部の外面に開口しない形態であってもよい。  
（２）本発明によれば、係止突部は、弾性係止片に形成されて周壁に対して相対変位し得る形態ではなく、周壁に対して相対変位しないように固定して形成してもよい。  
（３）本発明によれば、弾性係止片は、雄端子保護プレートの移動方向と直角な方向へ片持ち状に延びる形態であってもよい。  
（４）本発明によれば、弾性係止片の延出方向は、雌ハウジングがフード部に嵌合する方向と同じ方向であってもよく、雌ハウジングの嵌合方向と交差する方向であってもよい。  
（５）本発明によれば、周壁とフード部における互いに平行な壁面のうち、一方の壁面にガイド部と係止突部を配し、他方の壁面にもガイド部と係止突部を配し、ガイド部同士と係止突部同士が対角に配置されるようにしてもよい。
【図面の簡単な説明】
【００３２】
【図１】実施形態１においてレバーが初期位置にある状態をあらわす一部切欠正面図
【図２】図１のＸ−Ｘ線断面図
【図３】レバーが嵌合位置に回動して両ハウジングが嵌合した状態をあらわす一部切欠正面図
【図４】両ハウジングが嵌合した状態をあらわす断面図
【図５】雄ハウジングと雄端子保護プレートとレバーを分解した状態の斜視図
【図６】雄端子保護プレートの平面図
【図７】雄端子保護プレートの側面図
【図８】雌ハウジングの底面図
【図９】雄端子保護プレートが傾いた状態あらわす斜視図
【符号の説明】
【００３３】
１０…雄ハウジング
１２…フード部
１３…雄端子金具
１３ａ…タブ
１８…嵌合溝
１９…ストッパ
２０…ガイド溝（ガイド部）
３０…雄端子保護プレート
３１…板状部
３２…周壁
３４…カムピン
３６…弾性係止片
３７…係止突部
３８…ガイドリブ（ガイド部）
４０…レバー
４３…カム溝
５０…雌ハウジング
５３…カムフォロア
【図１】
2008130244.tif 000003
【図２】
2008130244.tif 000004
【図３】
2008130244.tif 000005
【図４】
2008130244.tif 000006
【図５】
2008130244.tif 000007
【図６】
2008130244.tif 000008
【図７】
2008130244.tif 000009
【図８】
2008130244.tif 000010
【図９】
2008130244.tif 000011